(57)【要約】【課題】ゴミ袋の逆流防止及び破袋防止を設けた貯留機の構造を提供する。【解決手段】（ａ）オスネジ羽根の中心軸の横断面にゴミ袋を押し付ける手段、（ｂ）円錐筒に設けたメスネジ羽根の中心軸へ、滑り落下させて押し付ける手段、（ｃ）左右回転中心に合体させる構造  を特徴とする。【選択図】図３
2008074614.tif 000002
【特許請求の範囲】
【請求項１】
架台（１）の上に片口回転筒（２）を横置きにし、回転軸（３）を左右に回転させ、
片口回転筒（２）の前部より、開口筒（４）、円錐筒（５）、円筒（６）、後部に閉鎖した後端壁（７）を設け、円錐筒（５）から後端壁（７）までの内面にメスネジ羽根（８）を設け、
架台（１）の上に固定筒（９）を横置きにし、固定筒（９）の中心に回転軸（３）を合致させ、固定筒（９）を開口筒（４）の中へ挿入して嵌合させ、固定筒（９）と開口筒（４）の間に密封材（１０）を設け、
固定筒（９）の前端壁（１１）の中心に片持スクリュー（１２）を設け、左右に回転させ、片持スクリュー（１２）にスクリュー軸（１３）及びオスネジ羽根（１４）を設け、スクリュー軸の後端部（１５）を固定筒の後端部（１６）、かつ円錐筒の前端部（１７）に合わせ、
固定筒（９）の上部に投入口（１８）、下部に排出口（１９）を設け、片持スクリュー（１２）と片口回転筒（２）を同方向に回転させ、投入口（１８）又は排出口（１９）へゴミ袋を投入又は排出させるように構成したことを特徴とする片口回転式の破袋防止貯留機。
【請求項２】
架台（１）の上に両口回転筒（２０）を横置きにし、回転軸（３）を一方向に回転させ、
両口回転筒（２０）の前部より、開口筒（４）、後端壁（２１）、円筒（６）、後部に円錐筒（５）を設け、円筒（６）から円錐筒（５）までの内面にメスネジ羽根（８）を設け、円錐筒の後端部（２２）に排出口（１９）を設け、
架台（１）の上に傾斜固定筒（２３）を横置きにし、傾斜固定筒の後端部（２４）に水平固定筒（２５）を設け、水平固定筒（２５）の中心に回転軸（３）を合致させ、
水平固定筒（２５）を開口筒（４）の中へ挿入して嵌合させ、水平固定筒（２５）と開口筒（４）の間に密封材（１０）を設け、
傾斜固定筒（２３）の前端壁（１１）の中心に片持スクリュー（１２）を設け、一方向に回転させ、片持スクリュー（１２）にスクリュー軸（１３）及びオスネジ羽根（１４）を設け、スクリュー軸の後端部（１５）を傾斜固定筒（２３）を設け、水平固定筒の後端部（２６）を後端壁（２１）に合わせ、
傾斜固定筒（２３）、の上部に投入口（１８）を設け、片持スクリュー（１２）と両口回転筒（２０）を同方向に回転させ、投入口（１８）又は排出口（１９）へゴミ袋を投入又は排出させるように構成したことを特徴とする両口回転式の破袋防止貯留機。
【発明の詳細な説明】
【技術分野】
【０００１】  本発明は、回転筒のメスネジ羽根と片持スクリューのオスネジ羽根を、回転中心に合体させる構造に関するものである。
【背景技術】
【０００２】  平成８年度の食品廃棄物総排出量は約１９４０万トンになる。その内訳は、産業廃棄物３４０万トン、事業系廃棄物６００万トン、家庭系廃棄物１０００万トンになる。全て焼却埋立になっている。すなわち、家庭系廃棄物の排出量は、事業系廃棄物の２倍である。
さらに、家庭系廃棄物は１００％ゴミ袋である。２００４年に有料化ゴミ袋は全国で８割の自治体として実施されている。
家庭系廃棄物は住宅地域に排出し、ゴミ袋のコンテナ方式を使用している。事業系廃棄物は商業地域に排出し、回転筒貯留機を使用している。【０００３】  家庭系廃棄物は殆どゴミ袋のコンテナ方式になっており、コンテナ保管場所は広くなり、保管時間は７〜１０日間として、ゴミ袋をコンテナの中に貯留される。
住宅地域には、ゴミ袋をゴミコンテナの中に入れ、保管場所と一定の保管時間に、ゴミ配送車へ排出する。コンテナの８個または１６個になる。１６個の量は１２平方メートルで、作業時間は３０分になる。
作業者は４人でコンテナを保管場所から移動させ、ゴミ配送車へ投入する。さらに、コンテナを保管場所へ持ってきて，大きなビニール袋をゴミコンテナの中に取付ける。この作業労働力は非常に大きい。
住宅地域にある一定時間に保管するので、生ゴミ等のゴミ袋をコンテナの中に入れ、蓋をしめる。しかし、臭気はコンテナの間から漏れるので、温度も高くなり臭気は発散する。
ゴミ袋が破袋されてバラバラになることはないが、臭気はつねに発散されている。ゴミ配送車へゴミ袋をきちんと排出されても、臭気は多い。
さらに、コンテナの蓋が開いたままになったり、カラスで破られたりするので、コンテナで臭気防止することができない。
すなわち、破袋防止や臭気防止は不完全であり、貯留能力を多くするためコンテナ個数が多くなり不完全である。【０００４】  商業地域には、とくに回転筒貯留機を使う。回転筒貯留機の投入口へゴミ袋を入れ、さらに逆流防止構造の中に入れる。逆流防止構造の狭い隙間に、メスネジ羽根で潜らせると、ゴミ袋を破袋し、回転筒貯留機の円筒の中へ破砕される。
逆流防止構造がないと、ゴミが投入口の前部へ逆流され、ゴミを後部へ押し付けることができない。
逆流防止構造を潜るには、ゴミ袋は破袋、破砕、混合にされ、臭気は多くなる。排出されるときに、ゴミはバラバラになって臭気になるが、ゴミ袋をきちんと排出することができない。
商業地域のゴミは、生ゴミも可燃物もゴミ袋も破砕され混合されるので、ゴミの排出量が多く早いので、臭気の大きさは問題にならない。
回転筒貯留機について、逆流防止は完全になるが、破袋防止および臭気防止は不完全になる。
回転筒貯留機の中へゴミ袋を押し込むと、ゴミ袋の量が多くなり、逆に投入部分へ戻ってくるので、逆流防止が必要になる。
したがって、逆流防止のためにゴミ袋が破れることになっている。すなわち、破袋防止は不完全になるが、逆流防止は完全になっている。ゴミ袋が破られて排出されるので、臭気防止は不完全である。
住宅地域に回転筒貯留機を使う場合、貯留機の中にゴミ袋を投入すると、バラバラに破砕され、臭気が洩れる。バラバラになったゴミ袋をゴミ配送車へ排出すると、臭気はさらに大きくなる。
したがって、最終的には、回転筒貯留機を使うよりも、住宅地域のコンテナ方式の方が、さらに臭気を抑えることができると評価されている。
【発明の開示】
【発明が解決しようとする課題】
【０００５】  住宅地域のコンテナ方式の場合、破袋防止及び臭気防止は不完全であり、効果は少なくないが、不満の状態にあると判断される。逆に、住宅地域に回転筒貯留機を利用すると、かえって破袋防止及び臭気防止が悪い状態になっている。
したがって、住宅地域のゴミ袋を利用するために、回転筒貯留機に対して、破袋防止、臭気防止、逆流防止などの防止構造を完全に解決するために課題を設定した。
住宅地域のゴミ袋の回転筒貯留機に対して、破袋防止及び逆流防止を新しい機械構造によって効果にし、さらに機械密閉によって、臭気防止を効果することができる。破袋されないものは、そのままゴミ袋を排出できるので便利である。
その課題として、「破袋防止貯留機」を発明した。【０００６】  破袋防止貯留機の発明は、破袋防止及び逆流防止の手段になるが、原理の違いを説明するために、商業地域に利用されている回転筒貯留機の概要図及び逆流防止構造について説明する。
図１は、回転筒貯留機の概要図を示す。ゴミ袋Ｍを前方へ投入し、後方へ排出する両口方式の回転筒貯留機である。回転筒貯留機の右巻メスネジ羽根と左回転の簡単な概要図を説明する。
投入口（１８）に設けられた前固定台（３１）の中に，固定された傾斜板（３２）が固定され，その上部に投入室（３３）が囲われ固定されている。固定された投入室（３３）の下部口（３４）の下に，右巻メスネジ羽根（３５）は回転され接している。右巻メスネジ羽根（３５）は円筒（６）の内面板（３６）に取付けてある。
両口回転筒（２０）の外周に支持された前軸受（３７）および後軸受（３８）が架台（１）上に取付けられる。  また，両口回転筒（２０）の外周に大スプロケット（３９）が設けられ，架台（１）上の回転用モーター（４０）に設けられた小スプロケット（４１）とチェーン（４２）は連結され，回転用モーター（４０）によって両口回転筒（２０）が駆動される。
両口回転筒（２０）の円錐筒（５）には排出口（１９）があり，排出口（１９）には排出口蓋（４３）が押し付けられ，かつ回転自在に取付けられ常時に閉鎖されている。  排出口蓋（４３）は回転しながら脱着アーム（４４）に取付けられ，脱着アーム（４４）は後固定台（４５）に取付けられ，後固定台（４５）は架台（１）の上に取付けられる。
ゴミ袋Ｍを投入室（３３）より吐き出し，右巻メスネジ羽根（３５）の内に移送し，両口回転筒（２０）の内に貯留する。両口回転筒（２０）の中には，円筒（６）と円錐筒（５）の２つあり，２つの内面板（３６）に右巻メスネジ羽根（３５）を固定する。
円錐筒（５）を左回転に始めると，下部の右巻メスネジ羽根（３５）を後方へ上向きにし，右部の右巻メスネジ羽根（３５）を後方へゴミ袋Ｍを下降し移送する。
また排出口蓋（４３）を閉鎖する場合には，両口回転筒（２０）の後部内にゴミを貯留する。ゴミが満杯になり排出口蓋（４３）を開放する場合には，円錐筒（５）の回転により右巻メスネジ羽根（３５）がゴミ袋Ｍを後方に押し出し，排出口（１９）より排出し，ゴミ収集車の収集口に収集する。【０００７】  回転筒貯留機の逆流防止構造を説明する。
前固定台（３１）の投入口（１８）より投入口蓋（４６）を開き，傾斜板（３２）より円筒（６）の内面板（３６）までゴミ袋Ｍを投入する。
前固定台（３１）の後方に固定された傾斜板（３２）及び投入室（３３）は，両口回転筒（２０）の開口板（４７）の内部に設けられる。投入室（３３）の前方に投入口（１８）が開いており，傾斜板（３２）を通って，投入室（３３）の下部口（３４）へ開いている。投入室の左側下部に押込口（４８）が開いており，押込口（４８）と下部口（３４）は連通されている。
両口回転筒（２０）の下部には右巻メスネジ羽根（３５）が固定され，両口回転筒（２０）の下部が通常として左方向に回転される。投入口（１８）より投入されたゴミ袋Ｍは投入室（３３）内に充填される。下部口（３４）より回転された右巻メスネジ羽根（３５）の上に，ゴミ袋Ｍが左方向に送られ，左側下部の押込口（４８）より右巻メスネジ羽根（３５）によって押込まれ，投入室（３３）より吐き出され，両口回転筒（２０）の内部に貯留される。
したがって、回転筒貯留機は逆流防止によって、貯留量を大きくすることができるが、破袋防止はできない。
右巻メスネジ羽根（３５）は円筒（６）の内部に固定され回転され、ゴミ袋Ｍと一緒に回転する。固定した投入室（３３）の側壁（４９）と右巻メスネジ羽根（３５）との間に、ゴミ袋Ｍは挟み圧着され、破砕され、場合によっては切断される。ゴミ袋Ｍは破砕され切断され、投入室（３３）の外部へ放出されるが、投入室内へは戻らない。すなわち、逆流防止構造にはなるが、ゴミ袋Ｍは破袋される。
したがって、課題として、逆流防止かつ破袋防止の構造が必要である。
【課題を解決するための手段】
【０００８】  以上の説明によって、回転筒貯留機の破袋防止構造は不能となり、ゴミ袋Ｍを機械的に破砕される。したがって、破袋防止貯留機に対しては、ゴミ袋Ｍを回転軸の中心の横断面に対して押し付ける構造を手段とする。
破袋防止貯留機の手段について、片口回転式および両口回転式の破袋防止貯留機の応用例を説明する。
さらに、片口回転式の破袋防止貯留機に対して、前面に左回転にして後方へ投入する場合、前面に右回転にして前方へ排出する場合、について説明する。【０００９】  図２は、片口回転式の破袋防止貯留機の破袋防止構造（Ａ）を示す。
前面に左回転にし、後方へ排出する場合、片持スクリュー（１２）の前面に対して左回転にし、右巻オスネジ羽根（５０）で、ゴミ袋Ｍを後方向へ押し込む。片口回転筒（２）の前面に対して左回転にし、右巻メスネジ羽根（３５）で、ゴミ袋Ｍを後方向へ押し込む。
スクリュー軸（１３）と右巻オスネジ羽根（５０）と固定筒（９）の隙間（５１）に下部へゴミ袋Ｍを押し込みながら、回転によって後方へ移動させる。さらに、ゴミ袋Ｍをつねに隙間（５１）の下部になるので、ゴミ袋Ｍを固定筒（９）の下部に後方へ移動させる。したがって、ゴミ袋Ｍは破れない。
片口回転筒（２）の前面から円錐筒（５）と円筒（６）を設け、円錐筒（５）に右巻メスネジ羽根（３５）を設けて、右巻メスネジ羽根（３５）の隙間（５２）に下部へゴミ袋Ｍを押し込みながら、左回転によって後方へ移動される。さらに、ゴミ袋Ｍは隙間（５２）の上部になり、他のゴミ袋Ｍへ落下するので、ゴミ袋Ｍは破れない。
右巻オスネジ羽根（５０）を左回転にし、ゴミ袋Ｍを前方から投入すると、ゴミ袋Ｍを右巻オスネジ羽根（５０）の横断面に対して、後方へつねに押し付けられる。
右巻オスネジ羽根（５０）からゴミ袋Ｍが離れると、右巻メスネジ羽根（３５）は左回転になり、ゴミ袋Ｍは前方から後方へ滑り落とされ、ゴミ袋Ｍは貯留される。ゴミ袋Ｍの貯留が多くなると、ゴミ袋Ｍは逆流方向になり、前方へ押し付けられる。
横断面で右巻オスネジ羽根（５０）は後方へ押し付けられ、次第に貯留され、右巻メスネジ羽根（３５）は次第に前方へ横断面で押し付けられ、拮抗して、ゴミ袋Ｍが増え、満量になる。
この横断面は混合して逆流されることはない。かつ、破袋になることはない。この間、ゴミ袋Ｍたちは、押し付けられるが、破られることはない。
したがって、逆流防止として、前方へ逆流することはない。すなわち、逆流防止から破袋防止を有効に利用することができる。
右巻オスネジ羽根（５０）の横断面に対して、ゴミ袋Ｍは後方へ常に押し付けられる。円錐筒（５）の前方へ、右巻メスネジ羽根（３５）について、つねに前方へ押し付けられる。  右巻メスネジ羽根（３５）の滑り落下によって、ゴミ袋Ｍか貯留して、逆流方向になるが、押し付け面に常に横断面になるので、ゴミ袋が破袋されることはない。
したがって、つねに逆流防止かつ破袋防止になる。【００１０】  図３は、片口回転式の破袋防止貯留機の破袋防止構造（Ｂ）を示す。
前面に右回転にし、前方へ排出する場合、片口回転筒（２）の前面に円錐筒（５）に設け、円錐筒（５）に右巻メスネジ羽根（３５）を設ける。右巻メスネジ羽根（３５）の隙間（５２）に下部へゴミ袋Ｍを押し込みながら、右回転によって前方へ移動させる。
さらに、ゴミ袋Ｍは右巻メスネジ羽根（３５）の隙間（５２）の上部に持ち上がって、固定筒（９）の前方へ上から滑り落とす。固定筒（９）の下部面へゴミ袋Ｍを移送され、ゴミ袋Ｍは破れない。滑り落とされたゴミ袋Ｍは、スクリュー軸（１３）と右巻オスネジ羽根（５０）と固定筒（９）の隙間（５１）に挿入させ、片持スクリュー（１２）の右回転によって、右巻オスネジ羽根（５０）の前方へ移送される。さらに、ゴミ袋Ｍは固定筒（９）の下部に前方へ引き込まれる。したがって、ゴミ袋Ｍは破れない。
右巻オスネジ羽根（５０）の左回転によって後方へ押込み、右回転によって前方へ引き込む。このとき、右巻オスネジ羽根（５０）の中心軸にゴミ袋Ｍを移送する。
片口回転筒（２）の円錐筒（５）に右巻メスネジ羽根（３５）の左回転によって、ゴミ袋Ｍは後方へ押込み、右回転によって前方へ引き込まれる。このとき、右巻メスネジ羽根（３５）の中心軸に、ゴミ袋Ｍは滑り落としながら集中される。
右巻オスネジ羽根（５０）の左回転によって後方へ押込み、右回転によって前方へ引き込む。このとき、右巻オスネジ羽根（５０）の中心軸にゴミ袋Ｍを移送する。
片口回転筒（２）の円錐筒（５）に右巻メスネジ羽根（３５）の左回転によって後方へ押込み、右回転によって前方へ引き込む。このとき、右巻メスネジ羽根（３５）の中心軸にゴミ袋Ｍを滑り落としながら移送する。
逆に、片口回転筒（２）の前面に対して右回転にし、右巻メスネジ羽根（３５）で、ゴミ袋Ｍを前方向へ傾斜滑り落下させる。片持スクリュー（１２）の前面に対して右回転にし、右巻オスネジ羽根（５０）で、ゴミ袋Ｍを前方向へ押し込む。【００１１】  図４は、両口回転式の破袋防止貯留機の破袋防止構造（Ｃ）を示す。
片口回転式の破袋防止貯留機の破袋防止構造（Ａ）に対して、固定筒（９）の替わりに傾斜固定筒（２３）を設け、前方より後方へ持上げる構造（Ｃ）を説明する。
前面に左回転にし、後方へ排出する場合、片持スクリュー（１２）の前面に対して、右巻オスネジ羽根（５０）で、ゴミ袋Ｍを後方向へ押し込む。と同じように、両口回転筒（２０）の前面に対して、左回転にし、右巻メスネジ羽根（３５）で、ゴミ袋Ｍを後方向へ、横断面へ押し込む。
右巻オスネジ羽根（５０）と傾斜固定筒（２３）の隙間（５１）に、ゴミ袋Ｍを上昇させ、押し込みながら、回転によって後方へ移動させる。傾斜固定筒（２３）の後端部に水平固定筒（２５）を設け、水平固定筒（２５）の中心に回転軸（３）を合致させ、水平固定筒（２５）を開口筒（４）の中へ挿入して、嵌合させる。傾斜固定筒（２３）から水平固定筒（２５）への中へゴミ袋Ｍは横断面に押し込まれる。したがって、ゴミ袋Ｍは破れない。
両口回転筒（２０）の前面から円筒（６）と円錐筒（５）へ設け、円筒（６）に右巻メスネジ羽根（３５）を設け、右巻メスネジ羽根（３５）の隙間（５２）にゴミ袋Ｍを押し込めながら、左回転によって後方へゴミ袋Ｍは滑り落とされ、貯留される。
ゴミ袋Ｍの貯留が多くなると、右巻メスネジ羽根（３５）は次第に前方へ横断面で押し付けられ、拮抗して、ゴミ袋Ｍが増え、満量になる。この横断面は混合して逆流されることはない。
満量になると排出口（１９）を開き、ゴミ袋Ｍを排出する。排出口部分は、円錐筒（５）になるので、右巻メスネジ羽根（３５）によって、滑り落とされる。したがって、常に破袋防止かつ逆流防止になる。【００１２】  課題を解決するための手段として、「破袋防止貯留機」の破袋防止構造（Ａ），（Ｂ），（Ｃ）を説明した。
破袋防止貯留機の手段は、右巻オスネジ羽根の中心軸と右巻メスネジ羽根の中心軸を合致させる４つの条件をまとめた。
▲１▼右巻オスネジ羽根の中心軸と右巻メスネジ羽根の中心軸を合致させ、前後方向へ移送する。
▲２▼右巻オスネジ羽根を右巻メスネジ羽根の中へ挿入する。
▲３▼右巻オスネジ羽根の下部の隙間に、ゴミ袋を固定筒の下部に、前後方向に移動する。右巻メスネジ羽根の上部から前方へ滑り落とし、右巻オスネジ羽根の下部から後方へ滑り落とし、前後方向に移動する。
▲４▼右巻オスネジ羽根と右巻メスネジ羽根は同方向へ回転する。
４つの条件に対して、片口回転式及び両口回転式による破袋防止貯留機を設け、課題を解決するための２つの手段を請求項１，２として、提案する。【００１３】  １つ目の手段は、片口回転式による破袋防止貯留機を利用した場合である。
すなわち；
架台の上に片口回転筒を横置きにし、回転軸を左右に回転させる。
片口回転筒の前部より、開口筒、円錐筒、円筒、後部に閉鎖した後端壁を設け、円錐筒）から後端壁までの内面にメスネジ羽根を設ける。
架台の上に固定筒を横置きにし、固定筒の中心に回転軸を合致させる。
固定筒を開口筒の中へ挿入して嵌合させ、固定筒と開口筒の間に密封材を設ける。
固定筒の前端壁の中心に片持スクリューを設け、左右に回転させる。
片持スクリューにスクリュー軸及びオスネジ羽根を設け、スクリュー軸の後端部を固定筒の後端部、かつ円錐筒の前端部に合わせる。
固定筒の上部に投入口、下部に排出口を設け、片持スクリューと片口回転筒を同方向に回転させ、投入口又は排出口へゴミ袋を投入又は排出させるように構成したことを特徴とする。【００１４】  ２つ目の手段は、両口回転式による破袋防止貯留機を利用した場合である。
すなわち；
架台の上に両口回転筒を横置きにし、回転軸を一方向に回転させる。
両口回転筒の前部より、開口筒、後端壁、円筒、後部に円錐筒を設け、円筒から円錐筒までの内面にメスネジ羽根を設け、円錐筒の後端部に排出口を設ける。
架台の上に傾斜固定筒を横置きにし、傾斜固定筒の後端部に水平固定筒を設け、水平固定筒の中心に回転軸を合致させ、水平固定筒を開口筒の中へ挿入して嵌合させ、水平固定筒と開口筒の間に密封材を設ける。
傾斜固定筒の前端壁の中心に片持スクリューを設け、一方向に回転させる。
片持スクリューにスクリュー軸及びオスネジ羽根を設け、スクリュー軸の後端部を傾斜固定筒を設け、水平固定筒の後端部を後端壁に合わせる。
傾斜固定筒の上部に投入口を設け、片持スクリューと両口回転筒を同方向に回転させ、投入口又は排出口へゴミ袋を投入又は排出させるように構成したことを特徴とする。
【発明の効果】
【００１５】（イ）従来のコンテナ方式の場合、ゴミ袋をコンテナに閉じるが、実際にゴミ袋は臭気も浸透され発散する。コンテナの蓋も開いたままになるので臭気も強い。
これに対して破袋防止貯留機の場合、非破袋構造によってゴミ袋が破れることはない。さらに破袋防止貯留機の中にゴミ袋を閉鎖するので、臭気は防止される。
すなわち、臭気防止ができる。
（ロ）従来のコンテナ方式の場合、ゴミ袋をコンテナの中へ上下に混合するので、ゴミ袋を持上げて、監視することはできない。
これに対して破袋防止貯留機の場合、排出するとき、ゴミ袋は破られることはないので、ゴミ袋を監視して抜き出すことができる。すなわち、不法監視ができる。
（ハ）従来のコンテナ方式の場合、不法投棄をゴミ袋にして、他の住宅領域のコンテナへ簡単に入れることができる。
これに対して破袋防止貯留機の場合、キーによって、不法投棄を投入することができない。すなわち、不法投棄防止ができる。
（ニ）従来のコンテナ方式の場合、コンテナの保管場所が多くなるので、設置費（場所代）が高くなる。
これに対して破袋防止貯留機の場合、コンテナは不要である。保管場所を小さくできるし、設置費（場所代）を少なくできる。
（ホ）従来のコンテナ方式の場合、コンテナ作業時間約１時間、作業人は最低４人で労働費は大きい。
これに対して破袋防止貯留機の場合、作業時間は３０分、作業人は２人で、労働費は少なくできる。
【発明を実施するための最良の形態】
【００１６】  本発明の片口回転式の破袋防止貯留機について、実施形態として、実施例を説明する。
図５は、片口回転式の破袋防止貯留機の概要図（右側面図）を示す。
架台（１）の上に片口回転筒（２）を横置きにし、回転軸（３）を左右に回転させる。
片口回転筒（２）の前部より、開口筒（４）、円錐筒（５）、円筒（６）、後部に閉鎖した後端壁（７）を設け、円錐筒（５）から後端壁（７）までの内面に右巻メスネジ羽根（３５）を設ける。
片口回転筒（２）の外周に支持された前軸受（３７）および後軸受（３８）が架台（１）上に取付けられる。  片口回転筒（２）の外周に大スプロケット（３９）が設けられ，架台（１）上の回転用モーター（４０）に設けられた小スプロケット（４１）とチェーン（４２）は連結され，回転用モーター（４０）によって片口回転筒（２）が駆動される。
架台（１）の上に前固定台（３１）を設け、前固定台（３１）の上に固定筒（９）を横置きに固定する。固定筒（９）の中心に回転軸（３）を合致させ、固定筒（９）を開口筒（４）の中へ挿入して嵌合させ、固定筒（９）と開口筒（４）の間に密封材（１０）を設ける。
固定筒（９）の前端壁（１１）の中心に片持スクリュー（１２）を内臓させて設け、片持スクリュー（１２）と大スプロケット（５４）が設けられ，固定筒（９）の上にスクリュー用モーター（５３）に設け、小スプロケット（５５）とチェーン（５６）は連結され，スクリュー用モーター（５３）によって片持スクリュー（１２）が駆動される。
片持スクリュー（１２）を左右に回転させ、片持スクリュー（１２）にスクリュー軸（１３）及び右巻オスネジ羽根（５０）を設け、スクリュー軸の後端部（１５）を固定筒の後端部（１６）、かつ円錐筒の前端部（１７）に合わせる。
固定筒（９）の上部に投入口（１８）、下部に排出口（１９）を設け、片持スクリュー（１２）と片口回転筒（２）を同方向に回転させ、投入口（１８）又は排出口（１９）へゴミ袋Ｍを投入又は排出させる。
排出口（１９）の下部にコンベア装置（５７）を設け、ゴミ収集車の収集口に収集する。【００１７】  片口回転式の破袋防止貯留機について、図２の破袋防止構造（Ａ）は、ゴミ袋を後方へ投入する場合を説明し、図３の破袋防止構造（Ｂ）は、ゴミ袋Ｍを前方へ排出する場合を説明した。
右巻オスネジ羽根と右巻メスネジ羽根を連携させ、左回転及び右回転によって、ゴミ袋の前方投入方向と前方排出方向の逆流について説明した。【００１８】  片口回転式の破袋防止貯留機について使用するときは、つぎのようにする。
スクリュー用モーター（５３）を駆動すると、小スプロケット（５５）とチェーン（５６）と大スプロケット（５４）で連結され、片持スクリュー（１２）を左回転になる。
回転用モーター（４０）を駆動すると、小スプロケット（４１）とチェーン（４２）と大スプロケット（３９）は連結され，片口回転筒（２）も左回転になる。
固定筒（９）の上部の投入口（１８）に、ゴミ袋Ｍを投入する。
片持スクリュー（１２）の前面に対して左回転にし、右巻オスネジ羽根（５０）で、ゴミ袋Ｍを後方向へ押し込む。片口回転筒（２）の前面に対して左回転にし、右巻メスネジ羽根（３５）で、ゴミ袋Ｍを後方向へ押し込む。
右巻オスネジ羽根（５０）の横断面に対して、ゴミ袋Ｍは後方へ常に押し付けられるが、ゴミ袋Ｍが貯留されて満量になると、逆流方向になるが、押し付け面に常に横断面になる。
満量になると、固定筒（９）の下部のは排出口（１９）を開き、逆に、スクリュー用モーター（５３）と回転用モーター（４０）を同時に右回転にする。
すると、片口回転筒（２）の前面に対して右回転にし、右巻メスネジ羽根（３５）で、ゴミ袋Ｍを前方向へ傾斜滑り落下させる。片持スクリュー（１２）の前面に対して右回転になり、右巻オスネジ羽根（５０）で、ゴミ袋Ｍを前方向へ押し込む。
右巻オスネジ羽根（５０）によって、ゴミ袋Ｍを排出口（１９）より、コンベア装置（５７）の下に落とし、ゴミ収集車の収集口に収集する。
【実施例１】
【００１９】  両口回転式の破袋防止貯留機について、実施形態として、実施例を説明する。
図６は、両口回転式の破袋防止貯留機の概要図（右側面図）を示す。
架台（１）の上に両口回転筒（２０）を横置きにし、回転軸（３）を左右に回転させる。
両口回転筒（２０）の前部より、開口筒（４）、円筒（６）、円錐筒（５）、後部に閉鎖した後端壁（７）を設け、円錐筒（５）から後端壁（７）までの内面に右巻メスネジ羽根（３５）を設ける。
両口回転筒（２０）の外周に支持された前軸受（３７）および後軸受（３８）が架台（１）上に取付けられる。  両口回転筒（２０）の外周に大スプロケット（３９）が設けられ，架台（１）上の回転用モーター（４０）に設けられた小スプロケット（４１）とチェーン（４２）は連結され，回転用モーター（４０）によって両口回転筒（２０）が駆動される。
架台（１）の上に前固定台（３１）を設け、前固定台（３１）の上に傾斜固定筒（２３）を横置きに固定する。
傾斜固定筒（２３）の中心に回転軸（５８）と両口回転筒（２０）の回転軸（３）を交差点にさせ、交差点にスクリュー軸（１３）の後端部（１５）を設ける。
右巻オスネジ羽根（５０）と傾斜固定筒（２３）の隙間（５１）に、ゴミ袋Ｍを上昇させ、押し込みながら、回転によって後方へ移動させる。傾斜固定筒（２３）の後端部に水平固定筒（２５）を設け、水平固定筒（２５）の中心に回転軸（３）を合致させ、水平固定筒（２５）を開口筒（４）の中へ挿入して、嵌合させる。傾斜固定筒（２３）から水平固定筒（２５）への中へゴミ袋Ｍは横断面に押し込まれる。水平固定筒（２５）と開口筒（４）の間に密封材（１０）を設ける。
傾斜固定筒（２３）の前端壁（１１）の中心に片持スクリュー（１２）を内臓させて設け、片持スクリュー（１２）と大スプロケット（５４）が設けられる。
傾斜固定筒（２３））の上にスクリュー用モーター（５３）に設け、小スプロケット（５５）とチェーン（５６）は連結され，スクリュー用モーター（５３）によって片持スクリュー（１２）が駆動される。
片持スクリュー（１２）を左回転にさせ、片持スクリュー（１２）にスクリュー軸（１３）及び右巻オスネジ羽根（５０）を設け、スクリュー軸の後端部（１５）を水平固定筒（２５）の中に納め、水平固定筒（２５）の後端部（１６）、かつ円錐筒の前端部（１７）に合わせる。
傾斜固定筒（２３）の前方の上部に投入口（１８）、後方に排出口（１９）を設け、片持スクリュー（１２）と両口回転筒（２０）を同方向に左回転にさせる。投入口（１８）へ投入させて満量になると、排出口（１９）を開き、ゴミ袋Ｍを排出させる。
排出口（１９）の下部にコンベア装置（５７）を設けている。【００２０】両口回転式の破袋防止貯留機について、図４の破袋防止構造（Ｃ）は、ゴミ袋を後方へ投入排出する場合を説明した。
右巻オスネジ羽根と右巻メスネジ羽根を連携させ、ゴミ袋の左回転の前方投入方向から後方排出方向へ説明した。【００２１】  両口回転式の破袋防止貯留機について、使用するときは、つぎのようにする。
スクリュー用モーター（５３）を駆動すると、小スプロケット（５５）とチェーン（５６）と大スプロケット（５４）で連結され、片持スクリュー（１２）を左回転になる。
回転用モーター（４０）を駆動すると、小スプロケット（４１）とチェーン（４２）と大スプロケット（３９）は連結され，両口回転筒（２０）も左回転になる。
傾斜固定筒（２３）の上部の投入口（１８）に、ゴミ袋Ｍを投入する。
片持スクリュー（１２）の前面に対して左回転にし、右巻オスネジ羽根（５０）で、ゴミ袋Ｍを後方向へ押し込む。両口回転筒（２０）の前面に対して左回転にし、右巻メスネジ羽根（３５）で、ゴミ袋Ｍを後方向へ押し込む。
右巻オスネジ羽根（５０）の横断面に対して、ゴミ袋Ｍは後方へ常に押し付けられるが、ゴミ袋Ｍが貯留されて満量になると、逆流方向になるが、押し付け面に常に横断面になる。
満量になると、両口回転筒（２０）の後部に、排出口（１９）を開き、逆に、スクリュー用モーター（５３）と回転用モーター（４０）を常に左回転になる。
両口回転筒（２０）の後面に対して、右巻メスネジ羽根（３５）で、ゴミ袋Ｍを後方へ傾斜滑り落下させる。右巻オスネジ羽根（５０）によって、ゴミ袋Ｍを排出口（１９）より、コンベア装置（５７）の下に落とし、ゴミ収集車の収集口に収集する。
【図面の簡単な説明】
【００２２】
【図１】回転筒貯留機の概要図を示す。
【図２】片口回転式の破袋防止貯留機の破袋防止構造（Ａ）を示す。
【図３】片口回転式の破袋防止貯留機の破袋防止構造（Ｂ）を示す。
【図４】両口回転式の破袋防止貯留機の破袋防止構造（Ｃ）を示す。
【図５】片口回転式の破袋防止貯留機の概要図（右側面図）を示す。
【図６】両口回転式の破袋防止貯留機の概要図（右側面図）を示す。
【符号の説明】
【００２３】  １    架台                    ２    片口回転筒
３    回転軸                  ４    開口筒
５    円錐筒                  ６    円筒
７    後端壁                  ８    メスネジ羽根
９    固定筒                １０    密封材
１１    前端壁                １２    片持スクリュー
１３    スクリュー軸          １４    オスネジ羽根
１５    後端部                １６    後端部
１７    前端部                １８    投入口
１９    排出口                ２０    両口回転筒
２１    後端壁                ２２    後端部
２３    傾斜固定筒            ２４    後端部
２５    水平固定筒            ２６    後端部
【図１】
2008074614.tif 000003
【図２】
2008074614.tif 000004
【図３】
2008074614.tif 000005
【図４】
2008074614.tif 000006
【図５】
2008074614.tif 000007
【図６】
2008074614.tif 000008